(57)【要約】【課題】煩雑な操作をせずに、カメラから画像データを取得してモニタに画像を表示する。【解決手段】クレードルは、記録画像を再生表示する再生モードと、画像を撮影する撮影モードとを有するカメラ２００が載置部１０３に載置されたことを検出する載置部１０３と、載置されたカメラ２００を充電する充電手段１１３、１１４と、載置されたカメラ２００から画像データを取得するデータ取得手段１１１と、データ取得手段１１１で取得された画像データを格納する格納手段１１２と、格納された画像データに対応する画像を表示部１０１に表示する表示手段１１１とを備える。【選択図】図1
2008258826.tif 000002
【特許請求の範囲】
【請求項１】
記録画像を再生表示する再生モードと、画像を撮影する撮影モードとを有するカメラを載置する載置部と、
前記載置されたカメラを充電する充電手段と、
前記載置されたカメラから画像データを取得するデータ取得手段と、
前記データ取得手段で取得された前記画像データを格納する格納手段と、
格納された前記画像データに対応する画像を表示部に表示する表示手段とを備えることを特徴とするクレードル。
【請求項２】
請求項１に記載のクレードルにおいて、
前記カメラの動作状態を検出する状態検出手段をさらに備え、
前記状態検出手段により、前記カメラの電源がオンであることが検出された場合に、前記データ取得手段は前記画像データを取得し、前記表示手段は前記画像データに対応する画像を表示することを特徴とするクレードル。
【請求項３】
請求項２に記載のクレードルにおいて、
前記状態検出手段により前記カメラが前記再生モードであることが検出されると、前記データ取得手段は前記カメラに表示中の画像に対応する画像データを取得し、前記格納手段は前記取得された画像データを格納し、前記表示手段は前記格納手段に格納された前記画像データに対応する画像を表示することを特徴とするクレードル。
【請求項４】
請求項３に記載のクレードルにおいて、
前記状態検出手段により前記カメラに表示中の画像が切り換えられたことが検出されると、前記データ取得手段は切り換えられた前記画像に対応する画像データを取得し、前記格納手段はすでに格納されている画像データを前記取得された画像データに書き換えて格納し、前記表示手段は前記格納手段に書き換えて格納された前記画像データに対応する画像を表示することを特徴とするクレードル。
【請求項５】
請求項３または４に記載のクレードルにおいて、
前記状態検出手段により前記カメラに表示中の画像の倍率が変更されたことが検出されると、前記データ取得手段は倍率が変更された前記画像に対応する画像データを取得し、前記格納手段は格納されている画像データを前記取得された画像データに書き換えて格納し、前記表示手段は前記格納手段に書き換えて格納された前記画像データに対応する画像を表示することを特徴とするクレードル。
【請求項６】
請求項２乃至５のいずれか一項に記載のクレードルにおいて、
前記状態検出手段により前記カメラが前記撮影モードであることが検出されても、前記表示手段は表示を継続することを特徴とするクレードル。
【請求項７】
請求項２乃至６のいずれか一項に記載のクレードルにおいて、
前記状態検出手段により前記カメラの電源がオフであることが検出されても、前記表示手段は表示を継続することを特徴とするクレードル。
【請求項８】
請求項１乃至７のいずれか一項に記載のクレードルにおいて、
前記カメラが前記載置部から取り外されても、前記表示手段は表示を継続することを特徴とするクレードル。
【発明の詳細な説明】
【技術分野】
【０００１】
本発明は、画像表示が可能なクレードルに関する。
【背景技術】
【０００２】
従来から、電子カメラで取得され、メモリカードなどの記録媒体に記録された画像を電子的に表示する電子写真立てが知られている（たとえば特許文献１）。
【特許文献１】特開２００１−６７００４号公報
【発明の開示】
【発明が解決しようとする課題】
【０００３】
しかしながら、電子写真立てに画像を取り込むためには、カメラからメモリカードを取り外し、そのカードを電子写真立てに装着する必要があり、操作が煩雑であるという問題がある。
【課題を解決するための手段】
【０００４】
請求項１の発明によるクレードルは、記録画像を再生表示する再生モードと、画像を撮影する撮影モードとを有するカメラを載置する載置部と、載置されたカメラを充電する充電手段と、載置されたカメラから画像データを取得するデータ取得手段と、データ取得手段で取得された画像データを格納する格納手段と、格納された画像データに対応する画像を表示部に表示する表示手段とを備えることを特徴とする。
請求項２の発明は、請求項１のクレードルにおいて、カメラの動作状態を検出する状態検出手段をさらに備え、状態検出手段により、カメラの電源がオンであることが検出された場合に、データ取得手段は画像データを取得し、表示手段は画像データに対応する画像を表示することを特徴とする。
請求項３の発明は、請求項２のクレードルにおいて、状態検出手段によりカメラが再生モードであることが検出されると、データ取得手段はカメラに表示中の画像に対応する画像データを取得し、格納手段は取得された画像データを格納し、表示手段は格納手段に格納された画像データに対応する画像を表示することを特徴とする。
請求項４の発明は、請求項３のクレードルにおいて、状態検出手段によりカメラに表示中の画像が切り換えられたことが検出されると、データ取得手段は切り換えられた画像に対応する画像データを取得し、格納手段はすでに格納されている画像データを取得された画像データに書き換えて格納し、表示手段は格納手段に書き換えて格納された画像データに対応する画像を表示することを特徴とする。
請求項５の発明は、請求項３または４のクレードルにおいて、状態検出手段によりカメラに表示中の画像の倍率が変更されたことが検出されると、データ取得手段は倍率が変更された画像に対応する画像データを取得し、格納手段は格納されている画像データを取得された画像データに書き換えて格納し、表示手段は格納手段に書き換えて格納された画像データに対応する画像を表示することを特徴とする。
請求項６の発明は、請求項２乃至５のいずれか一項のクレードルにおいて、状態検出手段によりカメラが撮影モードであることが検出されても、表示手段は表示を継続することを特徴とする。
請求項７の発明は、請求項２乃至６のいずれか一項のクレードルにおいて、状態検出手段によりカメラの電源がオフであることが検出されても、表示手段は表示を継続することを特徴とする。
請求項８の発明は、請求項１乃至７のいずれか一項のクレードルにおいて、カメラが載置部から取り外されても、表示手段は表示を継続することを特徴とする。
【発明の効果】
【０００５】
本発明によれば、載置されたカメラから画像データを取得して、画像を表示部に表示することができる。
【発明を実施するための最良の形態】
【０００６】
図面を参照して本発明の実施の形態によるフォトフレーム付きクレードルについて説明する。
図１は、本発明の実施の形態によるクレードル１００の外観を示す図であり、図１（ａ）は前方から見た斜視図、図１（ｂ）は後方から見た斜視図、図１（ｃ）は側面図である。図１において、電子カメラ２００がその背面をクレードル１００の後方に向けてクレードル１００上に載置されている状態を示す。
図１（ｃ）の側面図に示すように、クレードル１００の筐体１００Ｂは、Ｌ字型形状に形成されている。筐体１００Ｂの正面には、モニタ１０１が水平面に対して所定の角度に傾いた状態で、ヒンジ１０２により取付けられている。傾きの角度はユーザの好みに応じて変更可能に構成されている。モニタ１０１は、たとえばＬＣＤや電子ペーパーなどで構成された表示器である。モニタ１０１には、クレードル１００に載置された電子カメラ２００に記録されている画像が表示されるとともに、電子カメラ２００の充電状態を示す指標Ｓなどが表示される。
【０００７】
図１（ｂ）の背面斜視図に示すように、筐体１００Ｂの背面には、機器載置部１０３、ＵＳＢ端子１０４、ＡＶ出力端子１０５、ＡＣ端子１０６および電源スイッチ１０７が設けられている。機器載置部１０３には不図示のカメラ端子１０８が設けられ、このカメラ端子１０８を介して、クレードル１００は機器載置部１０３に載置された電子カメラ２００に対する充電をするとともに、電子カメラ２００から画像データを取得する。クレードル１００は、ＵＳＢ端子１０４およびＡＶ出力端子１０５に装着されたケーブルを介して他の外部機器（たとえば、プリンタ、フォトデータストレージ装置など）と通信可能である。クレードル１００はＡＣ端子１０６に装着された電源ケーブルを介して商用電源の供給を受けることができる。
【０００８】
電子カメラ２００の背面には、メイン液晶表示器２０１、操作部材２０２、およびファインダ接眼窓２０３が設けられている。操作部材２０２は、各種の設定をするためのメニュー画面をメイン液晶表示部２０１に表示するためのメニューボタン(MENU)２０２ａ、撮影モードと再生モードとを切り換えるモード切換ボタン２０２ｂ、メニュー画面に表示された各種設定の選択や再生モード時における表示画像の選択をする十字操作キー２０２ｃ、および十字操作キーで選択した設定や画像を決定するOKボタン２０２ｄなどを含む。電子カメラ２００の上面には、メインスイッチ(Power)２０４と、レリーズボタン２０５とが設けられている。また、電子カメラ２００の正面には、撮影レンズと、ファインダ対物窓と、フラッシュ光窓と（いずれも不図示）が設けられている。
【０００９】
図２は、図１のクレードル１００および電子カメラ２００の構成を説明するブロック図である。
（クレードル）
図２において、クレードル１００はモニタ１０１、ＵＳＢ端子１０４、ＡＶ出力端子１０５、ＡＣ端子１０６、カメラ端子１０８、ＣＰＵ１１１、メモリ１１２、電源１１３、および外部電源回路１１４を有する。
【００１０】
ＣＰＵ１１１は、クレードル制御プログラムに基づいて、クレードル１００を構成する各部から入力される信号を用いて所定の演算を行うなどしてクレードル１００の各部に対する制御信号を送出することにより、通信動作およびクレードル動作の制御を行う。なお、クレードル制御プログラムはＣＰＵ１１１内の不図示の不揮発性メモリに格納されている。
【００１１】
メモリ１１２は１つの画像データを格納できる程度の容量を有し、ＣＰＵ１１１により電子カメラ２００から取得された画像データを格納する。モニタ１０１に画像を表示する際には、ＣＰＵ１１１はメモリ１１２に格納された画像データを読み出して、画像データのサイズをモニタ１０１の画面サイズに適した大きさにリサイズして表示する。
【００１２】
ＵＳＢ端子１０４は、ＣＰＵ１１１の指令により、ＵＳＢケーブルを介して接続されている他の外部機器（たとえば、パーソナルコンピュータ、プリンタ、フォトデータストレージ装置など）との間でデータの送受を行う。
【００１３】
ＡＶ出力端子１０５は、電子カメラ２００がクレードル１００上に載置されている場合に電子カメラ２００からカメラ端子１０８を介して送信される画像データを、外部テレビモニタなどに表示するためのビデオ信号を生成する。外部テレビモニタなどをＡＶ出力端子１０５へ接続することにより、テレビモニタに再生画像が表示される。
【００１４】
カメラ端子１０８は、ＣＰＵ１１１の指令により、電子カメラ２００がクレードル１００上に載置されている場合に電子カメラ２００との間でデータ通信や充電電流の供給を行う。カメラ端子１０８には、制御信号の送受や電子カメラ２００における各種の操作信号を受信するコントロールインターフェイス(Control I/F)ライン、ビデオ信号を送受するビデオインターフェイス(VIDEO I/F)ライン、画像データ（デジタル信号）を受信するデジタルインターフェイス(Digital I/F)ライン、および充電電流を供給する電源ラインが含まれている。
【００１５】
外部電源回路１１４は、ＡＣ／ＤＣ変換回路などで構成され、ＡＣ端子１０６に接続された電源ケーブルを介して入力される交流電圧をクレードル１００内の各部で必要な直流電圧に変換し、変換後の電圧を各ブロックへ供給する。外部電源回路１１４はさらに、電子カメラ２００内のバッテリー２２８を充電するために必要な充電電流をカメラ端子１０８を介して電子カメラ２００へ供給する。
【００１６】
電源１１３は、たとえばメタノールを燃料とする燃料電池であり、クレードル１００内の各部へ直流電圧を供給する。電源１１３はさらに、電子カメラ２００内のバッテリー２２８を充電するために必要な充電電流をカメラ端子１０８を介して電子カメラ２００へ供給する。上述した外部電源回路１１４を介して外部からの電力の供給を受けていない場合に、電源１１３からクレードル１００内の各部および電子カメラ２００へ電力が供給される。
【００１７】
ＣＰＵ１１１は、後述する電子カメラ２００から画像データの受信を行なっていない場合に、電源１１３または外部電源回路１１４に指令を送り、電子カメラ２００充電する。電源１１３または外部電源回路１１４により電子カメラ２００への充電が行なわれている間は、ＣＰＵ１１１は図１（ａ）に示すモニタ１０１の指標Ｓを点滅表示させる。そして、電子カメラ２００への充電が完了すると、ＣＰＵ１１１は指標Ｓを点灯表示させる。電子カメラ２００の充電状態の検出は、カメラ端子１０８を介してＣＰＵ１１１により行なわれる。
【００１８】
（電子カメラ）
図２において、電子カメラ２００はメイン液晶表示器２０１、操作部材２１０、撮影レンズ２２０、撮像素子２２１、ＡＦＥ（Analog Front End)回路２２２、タイミングジェネレータ２２３、画像処理回路２２４、ＣＰＵ２２５、メモリ２２６、外部インターフェイス（Ｉ／Ｆ）２２７、バッテリー２２８、充電回路２２９、およびクレードルインタフェース２３０を有し、不図示のメモリカードスロット内に着脱可能なメモリカード２５０が実装されている。操作部材２１０は、上述した背面の操作部材２０２の他、上面のメインスイッチ(Power)２０４およびレリーズボタン２０５を含む。
【００１９】
ＣＰＵ２２５は、カメラ制御プログラムに基づいて、電子カメラ２００を構成する各部から入力される信号を用いて所定の演算を行うなどして電子カメラ２００の各部に対する制御信号を送出することにより、カメラ動作の制御を行う。なお、カメラ制御プログラムはＣＰＵ２２５内の不図示の不揮発性メモリに格納されている。また、ＣＰＵ２２５は、操作部２１０からの操作信号が所定の時間入力されない場合は、電子カメラ２００の電源をオフする。
【００２０】
メモリ２２６はＣＰＵ２２５の作業用メモリとして使用される。メモリカード２５０はフラッシュメモリなどの不揮発性メモリによって構成され、ＣＰＵ２２５の指令によりデータの書き込み、保存および読み出しが可能である。
【００２１】
外部インターフェイス(I/F)２２７は、ＣＰＵ２２５の指令により、インターフェイスケーブル（不図示）を介して接続される他の外部機器（たとえば、プリンタ、フォトデータストレージ装置など）との間でデータの送受を行う。
【００２２】
メイン液晶表示器２０１は、ＣＰＵ２２５の指令により画像やテキストなどの情報を表示する。テキスト情報は、電子カメラ２００の動作状態、操作メニューの内容などである。
【００２３】
バッテリー２２８は充電池により構成され、電子カメラ２００内の各部に必要な電力を供給する。充電回路２２９は、クレードルインタフェース２３０を介してクレードル１００から供給される充電電流によりバッテリー２２８を充電する。
【００２４】
クレードルインタフェース２３０は、電子カメラ２００がクレードル１００上に載置されている場合に、カメラ端子１０８を介してクレードル１００との間でデータ通信や充電電流の受電を行う。クレードルインタフェース２３０には、制御信号の送受や操作部材２１０の操作信号を送信するコントロールインターフェイス(Control I/F)ライン、ビデオ信号を送受するビデオインターフェイス(VIDEO I/F)ライン、および画像データを送信するデジタルインターフェイス(Digital I/F)ラインと、充電電流が供給される電源ラインとが含まれている。
【００２５】
撮影レンズ２２０を通過した被写体光は撮像素子２２１へ導かれ、その撮像面上に被写体像が結像する。撮像素子２２１は、受光した被写体光をその強度に応じた画像信号に変換するＣＣＤやＣＭＯＳなどの光電変換素子である。撮像素子２２１には、行列状に画素が配置されている。
【００２６】
ＡＦＥ回路２２２は、撮像素子２２１の出力する画像信号にアナログ的な処理をしてからデジタルの画像データに変換する回路である。アナログ処理には、アンプのゲインコントロールや相関二重サンプリングが含まれる。アンプのゲインは、ＣＰＵ２２５により設定されたＩＳＯ感度に基づいて決定される。タイミングジェネレータ２２３は、ＣＰＵ２２５の命令に応じて、撮像素子２２１およびＡＦＥ回路２２２にタイミング信号を出力し、撮像素子２２１とＡＦＥ回路２２２との駆動タイミングを制御する回路である。
【００２７】
画像処理回路２２４は、ＡＳＩＣなどにより構成される。画像処理回路２２４は、画像データに対して、ホワイトバランス処理、ガンマ補正処理、色補間処理、輪郭強調、ビネット補正などの画像処理を実行する。上記画像処理が施された画像データは、ＣＰＵ２２５へ送出される。ＣＰＵ２２５に入力された画像データは、メモリカード２５０に記録したり、クレードルインタフェース２３０を介してクレードル１００へ送信される。また、ＣＰＵ２２５は、画像データから生成された表示用画像を、メイン液晶表示器２０１に表示する。
【００２８】
次に、クレードル１００の動作について説明する。
電子カメラ２００がクレードル１００の機器載置部１０３に載置されると、クレードル１００のカメラ端子１０８と電子カメラ２００のクレードルインタフェース２３０とが直接接続されるように構成されている。ＣＰＵ１１１は、たとえば所定時間ごとにカメラ端子１０８の所定の信号のレベルを検出し、この検出値に基づいて電子カメラ２００の載置を判定する。
【００２９】
電子カメラ２００の載置が検出されると、ＣＰＵ１１１は電子カメラ２００との通信を確立するための信号を、カメラ端子１０８を介して電子カメラ２００に対して送信する。この信号に対する応答信号を電子カメラ２００から受信すると、ＣＰＵ１１１は電子カメラ２００の電源がオンであると判断して、電子カメラ２００とデータの送受信を開始する。データの送受信が開始されると、ＣＰＵ１１１は電子カメラ２００に設定されている動作モードを示すモード信号を受信して、電子カメラ２００が撮影モードと再生モードのいずれのモードに設定されているかを判定する。そして、ＣＰＵ１１１は、電子カメラ２００の操作部材２１０の操作に応じて出力される操作信号を受信する。ＣＰＵ１１１は、受信した操作信号に基づいて、電子カメラ２００においてモード切換操作が行われたか、再生モードにおいて表示画像の切換操作や表示倍率変更操作が行われたか、電子カメラ２００が電源オンからオフに切り換わったかなどを判定する。なお、通信を確立するための信号に対する応答信号を電子カメラ２００から受信しない場合、ＣＰＵ１１１は電子カメラ２００の電源がオフであると判断する。
【００３０】
ＣＰＵ１１１によるモニタ１０１への画像表示処理を次の３つの場合について説明する。
１．電子カメラ２００の電源オン
２．電子カメラ２００の電源オフ
３．電子カメラ２００のクレードル１００からの取り外し
【００３１】
（１．電源オン）
電子カメラ２００の電源がオンされている場合のクレードル１００による画像表示について、電子カメラ２００が再生モードに設定されている場合と、撮影モードに設定されている場合とに分けて説明する。
（１−１．再生モード）
電子カメラ２００が再生モードに設定されている場合には、メイン液晶表示器２０１に表示されている画像と同一の画像がクレードル１００のモニタ１０１に表示される。ＣＰＵ１１１は、載置された電子カメラ２００が再生モードに設定されていると判定すると、メイン液晶表示器２０１に表示されている画像Ａに対応する画像データＡの送信を要求する信号を電子カメラ２００に対して送信する。この要求信号に応じて電子カメラ２００から画像データＡを受信すると、ＣＰＵ１１１は、メモリ１１２に既に格納されている画像データが存在しない場合は、受信した画像データＡをメモリ１１２へ格納する。メモリ１１２に既に格納されている画像データが存在する場合は、ＣＰＵ１１１はその画像データを削除して、受信した画像データＡをメモリ１１２へ格納する。
【００３２】
画像データＡがメモリ１１２に格納されると、ＣＰＵ１１１は画像データＡをモニタ１０１の解像度に適合するようにリサイズ処理をして、表示用画像データＡＨを生成する。そして、ＣＰＵ１１１は、生成した表示用画像データＡＨに対応する画像ＡＨをモニタ１０１に表示する。すなわち、電子カメラ２００のメイン液晶表示器２０１に表示されている画像Ａと同一の絵柄の画像ＡＨがモニタ１０１に表示される。
【００３３】
モニタ１０１に画像ＡＨが表示されている状態で、ユーザの操作により、電子カメラ２００のメイン液晶表示器２０１に表示される画像が画像Ａから画像Ｂに切り換えられたとする。ＣＰＵ１１１は、再生表示画像の切換操作がされたことを示す切換操作信号を電子カメラ２００から受信すると、切換操作後にメイン液晶表示器２０１に表示されている画像Ｂに対応する画像データＢの送信を要求する信号を電子カメラ２００に対して送信する。この要求信号に応じて電子カメラ２００から送信された画像データＢを受信すると、ＣＰＵ１１１はメモリ１１２内の画像データＡを削除して、画像データＢをメモリ１１２へ格納する。以後、画像ＡＨの場合と同様にして、ＣＰＵ１１１は画像データＢから表示用画像データＢＨを生成して、画像Ｂと同一の絵柄の画像ＢＨをモニタ１０１に表示する。
【００３４】
なお、上述した切換操作信号は、再生表示する画像を十字操作キー２０２ｃで選択して所定時間の間十字操作キー２０２ｃが選択されない場合、および再生表示する画像を十字操作キー２０２ｃで選択してからＯＫボタン２０２ｄが操作された場合のいずれかの場合に、ＣＰＵ２２５により出力される。
【００３５】
モニタ１０１に画像ＢＨが表示されている状態で、ユーザ操作により、電子カメラ２００のメイン液晶表示器２０１に表示されている画像Ｂが拡大され、表示画像の中心座標が変更されたとする。この場合、ＣＰＵ１１１は、再生表示画像の倍率変更操作および中心座標変更操作がされたことを示す変倍操作信号および座標変更信号を電子カメラ２００から受信する。そして、ＣＰＵ１１１は、メイン液晶表示器２０１に拡大表示されている画像ＢＬに対応する画像データＢＬの送信を要求する信号を電子カメラ２００に対して送信する。
【００３６】
ＣＰＵ２２５は、クレードル１００から画像データＢＬの送信要求信号を受信すると、ユーザ操作により変更された拡大率および中心座標に基づいて、画像データＢから画像データＢＬを作成する。そして、ＣＰＵ２２５は、クレードル１００に対して、作成した画像データＢＬを送信する。
【００３７】
ＣＰＵ１１１は電子カメラ２００から画像データＢＬを受信すると、上述と同様にして、メモリ１１２内の画像データＢを削除して、受信した画像データＢＬをメモリ１１２に格納する。そして、ＣＰＵ１１１は画像データＢＬをリサイズ処理して表示用画像データＢＬＨを生成し、モニタ１０１に画像ＢＬと同一の絵柄の画像ＢＬＨを表示する。
【００３８】
なお、上述した変倍操作信号および座標変更信号は、以下の場合にＣＰＵ２２５より出力される。すなわち、再生表示中の画像の変倍操作および中心座標の移動操作がされてから所定時間の間操作されない場合、および画像の変倍操作および中心座標の移動操作がされてからＯＫボタン２０２ｄが操作された場合のいずれかの場合である。
【００３９】
（１−２．撮影モード）
ＣＰＵ１１１は、載置されている電子カメラ２００が撮影モードに設定されている場合には、電子カメラ２００に対する画像データの送信要求をせず、メモリ１１２に格納されている画像データに対応する画像をモニタ１０１に表示する。以下、電子カメラ２００が再生モードから撮影モードに切り換えられた場合と、電子カメラ２００が撮影モードに設定されてクレードル１００に載置された場合とに分けて説明する。なお、電子カメラ２００が載置される前には、クレードル１００は画像データＸをメモリ１１２に保持しているものとする。
【００４０】
（１−２−１．再生モードから撮影モードへ切り換えた場合）
前述のようにモニタ１０１に画像ＢＬＨが表示されているときに、載置された電子カメラ２００が撮影モードに設定されたとする。この場合、ＣＰＵ１１１は電子カメラ２００に画像データの送信要求を行なわず、メモリ１１２に格納されている画像データＢＬに対応する画像ＢＬＨのモニタ１０１への表示を継続する。
【００４１】
（１−２−２．撮影モードに設定された状態でクレードル１００に載置された場合）
ＣＰＵ１１１が電子カメラ２００の載置を検出したときに受信したモード信号に基づいて、電子カメラ２００が撮影モードに設定されていると判定すると、ＣＰＵ１１１は電子カメラ２００に対して画像データの送信要求信号を送信しない。そして、ＣＰＵ１１１はメモリ１１２に格納されている画像データＸに対してリサイズ処理を施して表示用画像データＸＨを生成し、モニタ１０１に画像ＸＨを表示する。なお、メモリ１１２に画像データが格納されていない場合は、ＣＰＵ１１１はモニタ１０１に黒画面を表示する。
【００４２】
（２．電源オフ）
次に、電子カメラ２００の電源がオフの場合におけるクレードル１００の画像表示について説明する。電子カメラ２００の電源がオフの場合についても、電源オンで撮影モードに設定されている場合と同様に、ＣＰＵ１１１はメモリ１１２に格納されている画像データに対応する画像をモニタ１０１に表示する。以下、電子カメラ２００の電源がオンからオフに切り換わった場合と、電源オフでクレードル１００に載置された場合とに分けて説明する。
【００４３】
（２−１．電源オンからオフへ切り換えた場合）
電子カメラ２００が再生モードまたは撮影モードに設定され、前述のようにモニタ１０１に画像ＢＬＨが表示されているとする。この場合に、ＣＰＵ１１１が載置された電子カメラ２００の電源がオフされたことを示す信号を受信した場合、メモリ１１２に格納されている画像データＢＬに対応する画像ＢＬＨのモニタ１０１への表示を継続する。
【００４４】
（２−２．電源オフでクレードル１００に載置された場合）
電子カメラ２００が電源オフでクレードル１００に載置された場合、すなわちＣＰＵ１１１が電子カメラ２００との通信を確立するため送信した信号に対する応答信号を受信しない場合、ＣＰＵ１１１は電子カメラ２００に対して画像データの送信要求信号を送信しない。そして、ＣＰＵ１１１はメモリ１１２に格納されている画像データＸに対してリサイズ処理を施して表示用画像データＸＨを生成し、モニタ１０１に画像ＸＨを表示する。なお、メモリ１１２に画像データが格納されていない場合は、ＣＰＵ１１１はモニタ１０１に黒画面を表示する。
【００４５】
（３．電子カメラ２００がクレードル１００から取り外された場合）
電子カメラ２００がクレードル１００から取り外された場合についても、電源オンで撮影モードに設定されている場合や電源オフの場合と同様に、ＣＰＵ１１１はメモリ１１２に格納されている画像データに対応する画像をモニタ１０１に表示する。電子カメラ２００が再生モードまたは撮影モードに設定され、前述のようにモニタ１０１に画像ＢＬＨが表示されているとする。このときに、ＣＰＵ１１１はカメラ端子１０８からの信号レベルに基づいて電子カメラ２００が機器載置部１０３から取り外されたことを検出しても、メモリ１１２に格納されている画像データＢＬに対応する画像ＢＬＨのモニタ１０１への表示を継続する。
【００４６】
以上のようにして、モニタ１０１に画像が表示されている状態で、電源スイッチ１０７からオフ信号を入力すると、ＣＰＵ１１１はモニタ１０１による画像表示を終了する。
【００４７】
図３に示すフローチャートを用いて、実施の形態によるクレードル１００の動作を説明する。図３の各処理手順はＣＰＵ１１１でプログラムを実行して行われる。図３の各処理を行なうプログラムはメモリ（不図示）に格納されており、電源スイッチ１０７により電源がオンされると起動される。
ステップＳ１０１においては、機器載置部１０３に電子カメラ２００が載置されたか否かを判定する。電子カメラ２００が載置され、カメラ端子１０８から所定の信号レベルを検出した場合は、ステップＳ１０１が肯定判定されてステップＳ１０２へ進む。ステップＳ１０２においては、電子カメラ２００が充電中であることを示すフラグｉを０に設定してステップＳ１０３へ進む。
【００４８】
ステップＳ１０３においては、電子カメラ２００の電源がオンであるか否かを判定する。電子カメラ２００がオンであることが検出された場合は、ステップＳ１０３が肯定判定されてステップＳ１０４へ進む。ステップＳ１０４においては、電子カメラ２００が充電中であることを示すフラグｉが１であるか否かを判定する。フラグｉが１の場合、ステップＳ１０４が肯定判定されてステップＳ１０５へ進む。ステップＳ１０５においては、電源１１３に指令を送り、電子カメラ２００への充電を中断させてステップＳ１０６へ進む。フラグｉが０の場合はステップＳ１０４が否定判定され、ステップＳ１０５をスキップしてステップＳ１０６へ進む。
【００４９】
ステップＳ１０６においては、電子カメラ２００が再生モードに設定されているか否かを判定する。受信したモード信号に基づいて電子カメラ２００が再生モードに設定されていることを検出した場合、ステップＳ１０６が肯定判定されてステップＳ１０７へ進む。ステップＳ１０７においては、電子カメラ２００に対してメイン液晶表示器２０１に表示中の画像に対応する画像データの送信を要求する信号を送信する。そして、この信号に応じて電子カメラ２００から送信された画像データを受信してステップＳ１０８へ進む。
【００５０】
ステップＳ１０８においては、メモリ１１２内に既に格納されている画像データがあるか否かを判定する。既に画像データが格納されている場合、ステップＳ１０８が肯定判定されてステップＳ１０９へ進む。ステップＳ１０９においては、メモリ１１２に格納されている画像データを削除してステップＳ１１０へ進む。メモリ１１２に画像データが格納されていない場合は、ステップＳ１０８が否定判定されて、ステップＳ１０９をスキップしてステップＳ１１０へ進む。ステップＳ１１０においては、ステップＳ１０７で受信した画像データをメモリ１１２へ格納してステップＳ１１１へ進む。
【００５１】
ステップＳ１１１においては、ステップＳ１０７で受信した画像データに対してリサイズ処理を施して表示用画像データを生成する。そして、生成した表示用画像データに対応する画像をモニタ１０１に表示してステップＳ１１２へ進む。ステップＳ１１２においては、電子カメラ２００のメイン液晶表示器２０１に表示中の画像が切り換わったか否かを判定する。カメラ端子１０８を介して切換操作信号を受信した場合は、ステップＳ１１２が肯定判定されてステップＳ１１３へ進む。
【００５２】
ステップＳ１１３（画像データ取得）からステップＳ１１７（画像表示）までの各処理は、ステップＳ１０７（画像データ取得）からステップＳ１１１（画像表示）までの各処理と同様の処理を行なう。電子カメラ２００から切換操作信号を受信しない場合は、ステップＳ１１２が否定判定されてステップＳ１１３〜Ｓ１１７をスキップしてステップＳ１１８へ進む。
【００５３】
ステップＳ１１８においては、メイン液晶表示器２０１に表示中の画像の倍率が変更され、画像の中心座標が変更されたか否かを判定する。変倍操作信号および座標変更信号を受信した場合は、ステップＳ１１８が肯定判定されてステップＳ１１９へ進む。ステップＳ１１９（画像データ取得）からステップＳ１２３（画像表示）までの各処理は、ステップＳ１０７（画像データ取得）からステップＳ１１１（画像表示）までの各処理と同様の処理を行なう。変倍操作信号および座標変更信号を受信しない場合は、ステップＳ１１８が否定判定されて、ステップＳ１１９〜Ｓ１２３をスキップしてステップＳ１２４へ進む。
【００５４】
ステップＳ１２４においては、ステップＳ１０１と同様に、電子カメラ２００が載置されているか否かを判定する。カメラ端子１０８から所定の信号レベルを検出した場合は、ステップＳ１２４が肯定判定されてステップＳ１２５へ進む。ステップＳ１２５においては、クレードル１００の電源がオフされたか否かを判定する。電源スイッチ１０７からオフ信号を入力した場合は、ステップＳ１２５が肯定判定されてステップＳ１３４へ進む。ステップＳ１３４では、モニタ１０１による画像表示を終了して一連の処理を終了する。電源スイッチ１０７からオフ信号を入力しない場合は、ステップＳ１２５が否定判定されてステップＳ１０３へ戻る。
【００５５】
ステップＳ１２４において電子カメラ２００の載置が検出されない場合は、ステップＳ１２４が否定判定されてステップＳ１３３へ進む。ステップＳ１３３においては、ステップＳ１２５と同様にして、クレードル１００の電源がオフされたか否かを判定する。電源スイッチ１０７からオフ信号を入力した場合は、ステップＳ１３３が肯定判定されてステップＳ１３４へ進む。電源スイッチ１０７からオフ信号を入力しない場合は、ステップＳ１３３が否定判定されてステップＳ１０１へ戻る。
【００５６】
ステップＳ１０１において電子カメラ２００の載置が検出されない場合、ステップＳ１０１が否定判定されてステップＳ１２６へ進む。ステップＳ１２６においては、ステップＳ１０８と同様にして、メモリ１１２内に画像データが格納されているか否かを判定する。画像データが格納されている場合、ステップＳ１２６が肯定判定されてステップＳ１２７へ進む。ステップＳ１２７においては、格納されている画像データを用いて表示用画像データを生成し、生成した表示用画像データに対応する画像をモニタ１０１に表示してステップＳ１３３へ進む。メモリ１１２に画像データが格納されていない場合は、ステップＳ１２６が否定判定されてステップＳ１２８へ進む。ステップＳ１２８においては、モニタ１０１に黒画面を表示してステップＳ１３３へ進む。
【００５７】
一方、ステップＳ１０３において、電子カメラ２００の電源がオフであることが検出された場合、ステップＳ１０３が否定判定されてステップＳ１２９へ進む。ステップＳ１２９（メモリ内の画像データの有無判定）からステップＳ１３１（黒画像表示）までの各処理は、ステップＳ１２６（メモリ内の画像データの有無判定）からステップＳ１２８（黒画像表示）までの各処理と同様の処理を行なう。ステップＳ１３２においては、電源１１３に対して、電子カメラ２００への充電開始を指示する。さらに、充電中を示すフラグｉを１に設定してステップＳ１２４へ進む。
【００５８】
また、ステップＳ１０６において、電子カメラ２００が撮影モードであることが検出された場合、ステップＳ１０６が否定判定されてステップＳ１２９へ進む。
【００５９】
以上で説明した実施の形態によるクレードル１００によれば、以下の作用効果が得られる。
（１）電子カメラ２００が載置されると、ＣＰＵ１１１は電子カメラ１００からカメラ端子１０８を介して画像データを取得して、モニタ１０１に表示するようにした。したがって、電子カメラ２００を機器載置部１０３に載置するだけでモニタ１０１に画像が表示されるので、メモリカード１２３を電子カメラ２００から取り外し、クレードル１００に取り付けて画像データを取得するといった煩雑な操作を必要とせず、簡単に画像を表示できる。
【００６０】
（２）ＣＰＵ１１１は、載置された電子カメラ２００の電源がオンされていることを検出した場合に、電子カメラ２００から画像データを取得し、取得した画像データに対応する画像をモニタ１０１に表示するようにした。したがって、電子カメラ２００の電源をオンしてクレードル１００に載置するだけで、モニタ１０１に画像を表示することができるので、煩雑な操作を必要とせず利便性が向上する。
【００６１】
（３）ＣＰＵ１１１は、載置された電子カメラ２００が再生モードに設定されていることを検出すると、メイン液晶表示器２０１に表示中の画像に対応する画像データを取得して、取得した画像データに対応する画像をモニタ１０１に表示するようにした。したがって、モニタ１０１に表示される画像が、電子カメラ２００のメイン液晶表示器２０１で予め確認することができるので、ユーザの好みの画像をモニタ１０１に表示することができる。
【００６２】
（４）ＣＰＵ１１１は、電子カメラ２００のメイン液晶表示器２０１で表示中の画像が、ユーザの操作に応じて切り換えられたことを検出した場合、切り換わった画像に対応する画像データを取得する。そして、ＣＰＵ１１１は、メモリ１１２に予め格納された画像データを取得した画像データに書き換えて、格納された画像データに対応する画像をモニタ１０１に表示するようにした。したがって、ユーザは電子カメラ２００のメイン液晶表示器２０１で確認しながらモニタ１０１に表示する画像を選択することができるので、利便性が向上する。
【００６３】
（５）ＣＰＵ１１１は、メイン液晶表示器２０１に表示中の画像が、ユーザによる拡大操作により倍率が変更されたことを検出すると、倍率の変更した画像に対応する画像データを電子カメラ２００から取得する。そして、ＣＰＵ１１１は取得した画像データに対応する画像をモニタ１０１に表示するようにした。したがって、電子カメラ２００で行なった画像の変倍操作が、クレードル１００のモニタ１０１に表示される画像の倍率に対しても反映されるので、再度クレードル１００で同様の変倍操作をするという手間を省くことができる。
【００６４】
（６）ＣＰＵ１１１は、電子カメラ２００が撮影モードに設定されたことを検出した場合は、モニタ１０１に表示中の画像を継続して表示するようにした。したがって、誤って電子カメラ２００を撮影モードに設定した場合でも、モニタ１０１には画像が表示されるのでフォトフレームとして機能することができる。
【００６５】
（７）ＣＰＵ１１１は、載置された電子カメラ２００の電源がオフであることを検出すると、メモリ１１２に格納されている画像データに対応する画像の表示を継続するようにした。したがって、電子カメラ２００の電源のオンオフ状態に依存せずに、モニタ１０１には画像を表示するので、ユーザはクレードル１００をフォトフレームとして使用できる。
【００６６】
（８）ＣＰＵ１１１は、載置されていた電子カメラ２００が機器載置部１０３から取り外されたことを検出した場合も、メモリ１１２に格納されている画像データに対応する画像の表示を継続するようにした。したがって、電子カメラ２００が載置されていない場合でも、モニタ１０１には画像が表示されるので、ユーザはクレードル１００をフォトフレームとして使用できる。
【００６７】
以上で説明した実施の形態によるクレードルを以下のように変形できる。
（１）図４のブロック図に示すように、クレードル１００は、モニタ１０１に代えてプロジェクタ部１２０を備えるようにしてもよい。プロジェクタ部１２０は、投影レンズ１２１、液晶パネル１２２、ＬＥＤ光源１２３、ＬＥＤ駆動回路１２４、液晶駆動回路１２５、およびレンズ駆動回路１２６を含む。ＬＥＤ駆動回路１２４は、ＣＰＵ１１１から出力されるＬＥＤ駆動信号に応じてＬＥＤ光源１２３に電流を供給する。ＬＥＤ光源１２３は、供給電流に応じた明るさで液晶パネル１２２を照明する。
【００６８】
液晶駆動回路１２５は、ＣＰＵ１１１から送出される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、液晶層の光の透過率が変化する。このように、画像信号に応じてＬＥＤ光源１２３からの光を変調することにより、液晶パネル１２２が光像を生成する。
【００６９】
レンズ駆動回路１２６は、ＣＰＵ１１１から出力される制御信号に基づいて、投影レンズ１２１を光軸に対して直交する方向へ進退駆動する。投影レンズ１２１は、液晶パネル１２２から射出される光像をスクリーンなどへ向けて投射する。プロジェクタ部１２０は、電源スイッチ１０７から電源オン操作信号を受けたＣＰＵ１１１が出力した投射指令を受けると、メモリ１１２に格納されている画像データに対応する画像の投射を開始する。
【００７０】
（２）クレードル１００は図５（ａ）に示すような形状であってもよい。このクレードル１００は板状の筐体１００Ｂにモニタ１０１を有する。筐体１００Ｂの側面には、図５（ｂ）に示す電子カメラ２００を装着するための装着部１０３が設けられている。装着部１０３の内部にはＵＳＢ端子１０８が設けられ、装着された電子カメラ２００との間でデータ通信や充電電流の供給を行う。
【００７１】
電子カメラ２００は、直方体のボディの上面にレリーズスイッチ２０５、正面には撮影レンズ２２０、および背面にはメイン液晶表示器２０１を備える。さらに、電子カメラ２００のボディにおいて、被写体側（正面）から見て左側の端部にはキャップ２０９が取り外し可能に設けられている。キャップ２０９を取り外すと、ボディにはＵＳＢ端子２３０が設けられている。
【００７２】
図５（ｃ）に示すように、クレードル１００の装着部１０３に電子カメラ２００が挿入されて装着されると、ＵＳＢ端子１０８と２３０とが直接接続される。そして、このＵＳＢ端子１０８および２３０を介して、クレードル１００は電子カメラ２００への充電を行なうとともに、電子カメラ２００から画像データを取得して、取得した画像データに対応する画像をモニタ１０１に表示する。
【００７３】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００７４】
【図１】本発明の実施の形態におけるクレードルおよびクレードルに載置された電子カメラの外観を説明する図であり、（ａ）は前方から見た斜視図、（ｂ）は後方から見た斜視図、（ｃ）は側面図である。
【図２】実施の形態におけるクレードルおよび電子カメラの構成を説明するブロック図である。
【図３】クレードルの動作を説明するフローチャートである。
【図４】変形例におけるクレードルおよび電子カメラの構成を説明するブロック図である。
【図５】変形例におけるクレードルおよび電子カメラの外観を説明する図であり、（ａ）はクレードルの外観図、（ｂ）はクレードルに装着される電子カメラの外観図、（ｃ）は電子カメラをクレードルに装着した場合の正面図である。
【符号の説明】
【００７５】
１００  クレードル        １０１  モニタ
１０３  機器載置部        １１１  ＣＰＵ
１１２  メモリ            １１３  電源
１１４  外部電源回路      ２００  電子カメラ
【図１】
2008258826.tif 000003
【図２】
2008258826.tif 000004
【図３】
2008258826.tif 000005
【図４】
2008258826.tif 000006
【図５】
2008258826.tif 000007